(57)【特許請求の範囲】
【請求項１】
記録媒体を記録及び／又は再生位置に装着すると共に一対の支軸部と係止部とを備える記録媒体保持部材と、
情報信号の記録媒体に対する記録及び／又は再生に用いられる磁気ヘッドを備える磁気ヘッド装置と、
一方に半抜き部が設けられると共に他方の延長方向に回動規制片が設けられ、更に上記記録媒体保持部材の上記一対の支軸部に係合することで上記記録媒体保持部材に対し回動自在に支持される一対の軸穴部が設けられ、回動することで上記磁気ヘッド装置と係合し、上記磁気ヘッド装置を昇降させると共に上記記録媒体保持部材の上記係止部に上記回動規制片が係止されることで回動が規制される磁気ヘッド昇降部材とを備え、
上記記録媒体保持部材は、上記磁気ヘッド昇降部材の上記回動規制片が設けられる一方の軸穴部が係合する一方の上記支軸部の近傍に、上記回動規制片が製造時に進入する切欠部が設けられていることを特徴とする記録及び／又は再生装置。
【請求項２】
上記記録媒体保持部材の上記係止部は、一端が上記切欠部と接することを特徴とする請求項１記載の記録及び／又は再生装置。
【請求項３】
記録媒体を記録及び／又は再生位置に装着すると共に一方に半抜き部が設けられた一対の軸穴部と係止部とを備える記録媒体保持部材と、
情報信号の記録媒体に対する記録及び／又は再生に用いられる磁気ヘッドを備える磁気ヘッド装置と、
上記記録媒体保持部材の半抜き部とは反対側の他方側の延長方向に回動規制片が設けられると共に、上記記録媒体保持部材の上記一対の軸穴部に係合することで上記記録媒体保持部材に対し回動自在に支持される一対の支軸部が設けられ、回動することで上記磁気ヘッドと係合し、上記磁気ヘッド装置を昇降させると共に上記記録媒体保持部材の係止部に上記回動規制片が係止されることで回動が規制される磁気ヘッド昇降部材とを備え、
上記記録媒体保持部材は、上記磁気ヘッド昇降部材の上記回動規制片が設けられた一方の支軸部が係合する一方の上記軸穴部の近傍に、上記回動規制片が製造時に進入する切欠部が設けられていることを特徴とする記録及び／又は再生装置。
【請求項４】
上記記録媒体保持部材の上記係止部は、一端が上記切欠部に接することを特徴とする請求項３記載の記録及び／又は再生装置。
【請求項５】
記録媒体を記録及び／又は再生位置に装着すると共に一対の支軸部と一方の上記支軸部の近傍に設けられた切欠部と一端が上記切欠部と接する係止部とを備える記録媒体保持部材と、
情報信号の記録媒体に対する記録及び／又は再生に用いられる磁気ヘッドを備える磁気ヘッド装置と、
一方に半抜き部が設けられると共に他方の延長方向に回動規制片が設けられ、更に上記記録媒体保持部材の上記一対の支軸部に係合することで上記記録媒体保持部材に対し回動自在に支持される一対の軸穴部が設けられ、回動することで上記磁気ヘッド装置と係合し、上記磁気ヘッド装置を昇降させると共に上記記録媒体保持部材の上記係止部に上記回動規制片が係止されることで回動が規制される磁気ヘッド昇降部材とを備える記録及び／又は再生装置の組み立て方法において、
上記磁気ヘッド昇降部材の上記回動規制片を上記記録媒体保持部材の切欠部に進入させ、
上記磁気ヘッド昇降部材の上記他方の軸穴部を上記記録媒体保持部材の一方の上記支軸部と係合させ、
上記記録媒体保持部材の他方の上記支軸部を、上記磁気ヘッド昇降部材の上記半抜き部を通して上記磁気ヘッド昇降部材の他方の軸穴部と係合させ、
上記磁気ヘッド昇降部材を上記記録媒体保持部材に近接する方向へ回動させることで上記磁気ヘッド支持部材の上記回動規制片が上記記録媒体保持部材の上記係止部の上面側に移動されることを特徴とする記録及び／又は再生装置の組み立て方法。
【請求項６】
記録媒体を記録及び／又は再生位置に装着すると共に一方に半抜き部が設けられた一対の軸穴部と他方の上記軸穴部の近傍に設けられた切欠部と一端が上記切欠部と接する係止部とを備える記録媒体保持部材と、
情報信号の記録媒体に対する記録及び／又は再生に用いられる磁気ヘッドを備える磁気ヘッド装置と、
一方の延長方向に回動規制片が設けられると共に、上記記録媒体保持部材の上記一対の軸穴部に係合することで上記記録媒体保持部材に対し回動自在に支持される一対の支軸部が設けられ、回動することで上記磁気ヘッドと係合し、上記磁気ヘッド装置を昇降させると共に上記記録媒体保持部材の上記係止部に上記回動規制片が係止されることで回動が規制される磁気ヘッド昇降部材とを備える記録及び／又は再生装置の組み立て方法において、
上記磁気ヘッド昇降部材の上記回動規制片を上記記録媒体保持部材の切欠部に進入させ、
上記磁気ヘッド昇降部材の上記一方の支軸部を上記記録媒体保持部材の他方の上記軸穴部と係合させ、
上記磁気ヘッド昇降部材の他方の支軸部を上記記録媒体保持部材の上記半抜き部を通して上記記録媒体保持部材の一方の軸穴部へ係合させ、
上記磁気ヘッド昇降部材を上記記録媒体保持部材に近接する方向へ回動させることで上記磁気ヘッド支持部材の上記回動規制片が上記記録媒体保持部材の上記係止部の上面側に移動されることを特徴とする記録及び／又は再生装置の組み立て方法。
【発明の詳細な説明】
【０００１】
【発明の属する技術分野】
本発明は、磁気ヘッド装置を昇降操作する磁気ヘッド昇降部材を備えた記録及び／又は再生装置及びその組み立て方向に関する。
【０００２】
【従来の技術】
従来、情報信号が記録される記録媒体として、光磁気ディスク、磁気ディスク等のディスクが用いられている。この種のディスクは、カートリッジに収納されてディスクカートリッジとして構成されている。このようなディスクカートリッジを記録媒体として用いる記録及び／又は再生装置は、ディスクカートリッジを記録再生位置に位置決めして装着され、このディスクカートリッジに収納されたディスクに対し音楽信号、映像信号等の情報信号を記録及び／又は再生手段を介して記録及び／又は再生を行う。このような記録及び／又は再生装置には、記録及び／又は再生装置に対して挿脱が行われるディスクカートリッジを記録再生位置に装着し、位置決めを行うためにカートリッジホルダが備えられている。そして、例えば光磁気ディスクが記録媒体として用いられるディスクカートリッジに適用されるカートリッジホルダには、上記記録及び／又は再生手段である磁気ヘッドが取り付けられ、また、このカートリッジホルダが回動自在に取り付けられるシャーシには、光ピックアップ装置が取り付けられる。
【０００３】
このように光磁気ディスクが記録媒体として用いられるディスクカートリッジは、ディスクに対し情報信号の記録がなされる場合には、光ピックアップ装置の光源から出射された光ビームにより局所的にキュリー温度以上に加熱され、この加熱された部分に磁気ヘッドにより外部磁界が印加されることにより情報信号の記録が行われる。また、このように情報信号が記録されたディスクを再生する場合には、ディスクに対し直線偏光された光ビームを照射し、ディスクから反射される戻り光のカー効果による偏光方向の回転を光検出器により検出することにより再生がなされる。したがって、磁界を印加する磁気ヘッドは、ディスクに対し情報信号を記録する時以外は、ディスクに対し上方向に離れた位置に配設される。このような記録及び／又は再生装置は、近年、携帯性の向上を図るため、小型化が図られており、これに使用される種々の部品についても小型化がされている。
【０００４】
ここで、この磁気ヘッドは、図８に示すような昇降装置により昇降駆動される。すなわち、この昇降装置２００は、記録媒体であるディスクカートリッジを位置決めした状態で記録及び／又は再生位置に装着させるカートリッジホルダ２０１と、磁気ヘッドが上面に配置されると共にカートリッジホルダ２０１の上面に回動自在に支持される支持部材２０２とを備える。カートリッジホルダ２０１は、その内部にディスクカートリッジが収納される収納部２０３が構成され、また、その上面に、一対の突出片２０４ａ、２０４ｂが上方向に突出して形成されている。そして、この突出片２０４ａ、２０４ｂには、互いに外方向に向かって支軸２０５ａ、２０５ｂが形成されている。さらには、カートリッジホルダ２０１には、その上面であって、突出片２０４ａ、２０４ｂの外側に後述する支持部材２０２の回動規制片の逃げ穴２０６ａ、２０６ｂが穿設されている。
【０００５】
また、支持部材２０２は、磁気ヘッドが配置される主面部２０８と、この主面部２０８の両側に設けられた一対の支持片２０９ａ、２０９ｂと、支持片２０９ａから延長して設けられた回動規制片２１０とから構成される。また、この支持片２０９ａ、２０９ｂには、それぞれ上記支軸２０５ａ、２０５ｂが嵌合される軸穴２１１ａ、２１１ｂが穿設されている。
【０００６】
このように構成される磁気ヘッドの昇降装置２００は、支軸２０５ａ、２０５ｂに軸穴２１１ａ、２１１ｂが嵌合されることにより、カートリッジホルダ２０１に対し支持部材２０２が回動自在とされる。そして、磁気ヘッドは、この支持部材２０２が図示しない駆動機構により図８中上下方向に駆動されることにより、昇降される。すなわち、磁気ヘッドは、ディスクに対し情報信号を記録する場合には、下方向に移動されディスクの主面に近接した第１の位置とされる。また、磁気ヘッドは、ディスクに対し情報信号を記録しない再生時又は記録若しくは再生も行わない停止時の場合には、上記第１の位置から上昇され、ディスクの主面から離れた第２の位置とされる。ここで、支持部材２０２が上方向に回動される際には、図９に示すように、上記回動規制片２１０の端部がカートリッジホルダ２０１の上面に突き当てられることで、回動する領域が規制される。
【０００７】
【発明が解決しようとする課題】
ところで、このような昇降装置２００は、次のようにカートリッジホルダ２０１に支持部材２０２が取り付けられる。すなわち、第１の取付け方法として、支持部材２０２は、カートリッジホルダ２０１の上面に平行にして、支持部材２０２の支持片２０９ａ、２０９ｂの横方向の弾性力を利用して、これら支持片２０９ａ、２０９ｂを互いに外方向に弾性変位させて、図８中Ａ方向よりカートリッジホルダ２０１の突出片２０４ａ、２０４ｂの支軸２０５ａ、２０５ｂに嵌合さ取り付ける方法がある。
【０００８】
また、第２の取付け方法として、支持部材２０２をカートリッジホルダ２０１の上面に対し垂直な方向、すなわち図８中Ｂ方向から、支持部材２０２の支持片２０９ａ、２０９ｂの横方向の弾性力を利用して、これら支持片２０９ａ、２０９ｂを互いに外方向に弾性変位させて、カートリッジホルダ２０１の突出片２０４ａ、２０４ｂの支軸２０５ａ、２０５ｂに嵌合さ取り付ける方法がある。
【０００９】
しかしながら、上記第１の方法により支持部材２０２をカートリッジホルダ２０１に取り付ける場合には、カートリッジホルダ２０１と支持部材２０２とが極めて近接した状態で取り付けなければならず、その取付け作業が困難である。特に、小型の回動部材を取付け部材に取り付ける場合には、その取付け作業が極めて困難となる。
【００１０】
また、上記第１の取付け方法、第２の取付け方法の何れの方法により、カートリッジホルダ２０１に支持部材２０２を取り付ける場合であっても、支持部材２０２をカートリッジホルダ２０１に取り付ける際、上述の通り支持片２１０を互いに外方向に弾性変位させることになるが、この際に、支持片２０９ａ、２０９ｂの弾性力の限界を超え弾性変位させてしまった場合には、支持片２０９ａ、２０９ｂが外広がりの状態となってしまい、支軸２０５ａ、２０５ｂに軸穴２１１ａ、２１１ｂに着実に嵌合させることができなくなる場合がある。このような場合、完成された記録及び／又は再生装置は、ユーザにより誤って落下されてしまった場合等の衝撃が加わった場合に、カートリッジホルダ２０１から支持部材２０２が外れてしまう場合がある。特に、支持部材２０２の支持片２０９ａ、２０９ｂは、その長手寸法が短いため、その弾性力の限界を超え弾性変位し易く、支持片２０９ａ、２０９ｂが外広がりの状態となりやすい。
【００１１】
さらには、これに加えて、カートリッジホルダ２０１の上面に、形成時等に反りが発生してしまい、突出片２０４ａ、２０４ｂが内方に向いてしまった場合には、支軸２０５ａ、２０５ｂに軸穴２１１ａ、２１１ｂを嵌合させることができなくなる場合もあった。
【００１２】
そこで、本発明は、記録媒体保持部材に磁気ヘッド装置を容易且つ着実に取り付けることを可能とする記録及び／又は再生装置を提供することを目的とする。
【００１３】
また、本発明は、記録媒体保持部材に磁気ヘッド装置を容易且つ着実に取り付けることを可能とする記録及び／又は再生装置の組み立て方法を提供することを目的とする。
【００１４】
【課題を解決するための手段】
本発明に係る記録及び／又は再生装置は、記録媒体を記録及び／又は再生位置に装着すると共に一対の支軸部と係止部とを備える記録媒体保持部材と、情報信号の記録媒体に対する記録及び／又は再生に用いられる磁気ヘッドを備える磁気ヘッド装置と、一方に半抜き部が設けられると共に他方の延長方向に回動規制片が設けられ、更に上記記録媒体保持部材の上記一対の支軸部に係合することで上記記録媒体保持部材に対し回動自在に支持される一対の軸穴部が設けられ、回動することで上記磁気ヘッド装置と係合し、上記磁気ヘッド装置を昇降させると共に上記記録媒体保持部材の上記係止部に上記回動規制片が係止されることで回動が規制される磁気ヘッド昇降部材とを備え、上記記録媒体保持部材は、上記磁気ヘッド昇降部材の上記回動規制片が設けられる一方の軸穴部が係合する一方の上記支軸部の近傍に、上記回動規制片が製造時に進入する切欠部が設けられていることを特徴とする。
【００１５】
また、本発明に係る記録及び／又は再生装置は、記録媒体を記録及び／又は再生位置に装着すると共に一方に半抜き部が設けられた一対の軸穴部と係止部とを備える記録媒体保持部材と、情報信号の記録媒体に対する記録及び／又は再生に用いられる磁気ヘッドを備える磁気ヘッド装置と、上記記録媒体保持部材の半抜き部とは反対側の他方側の延長方向に回動規制片が設けられると共に、上記記録媒体保持部材の上記一対の軸穴部に係合することで上記記録媒体保持部材に対し回動自在に支持される一対の支軸部が設けられ、回動することで上記磁気ヘッドと係合し、上記磁気ヘッド装置を昇降させると共に上記記録媒体保持部材の係止部に上記回動規制片が係止されることで回動が規制される磁気ヘッド昇降部材とを備え、上記記録媒体保持部材は、上記磁気ヘッド昇降部材の上記回動規制片が設けられた一方の支軸部が係合する一方の上記軸穴部の近傍に、上記回動規制片が製造時に進入する切欠部が設けられていることを特徴とする。
【００１６】
さらに、本発明は、  記録媒体を記録及び／又は再生位置に装着すると共に一対の支軸部と一方の上記支軸部の近傍に設けられた切欠部と一端が上記切欠部と接する係止部とを備える記録媒体保持部材と、情報信号の記録媒体に対する記録及び／又は再生に用いられる磁気ヘッドを備える磁気ヘッド装置と、一方に半抜き部が設けられると共に他方の延長方向に回動規制片が設けられ、更に上記記録媒体保持部材の上記一対の支軸部に係合することで上記記録媒体保持部材に対し回動自在に支持される一対の軸穴部が設けられ、回動することで上記磁気ヘッド装置と係合し、上記磁気ヘッド装置を昇降させると共に上記記録媒体保持部材の上記係止部に上記回動規制片が係止されることで回動が規制される磁気ヘッド昇降部材とを備える記録及び／又は再生装置の組み立て方法において、上記磁気ヘッド昇降部材の上記回動規制片を上記記録媒体保持部材の切欠部に進入させ、上記磁気ヘッド昇降部材の上記他方の軸穴部を上記記録媒体保持部材の一方の上記支軸部と係合させ、上記記録媒体保持部材の他方の上記支軸部を、上記磁気ヘッド昇降部材の上記半抜き部を通して上記磁気ヘッド昇降部材の他方の軸穴部と係合させ、上記磁気ヘッド昇降部材を上記記録媒体保持部材に近接する方向へ回動させることで上記磁気ヘッド支持部材の上記回動規制片が上記記録媒体保持部材の上記係止部の上面側に移動されるようにしたものである。
【００１７】
更にまた、本発明は、記録媒体を記録及び／又は再生位置に装着すると共に一方に半抜き部が設けられた一対の軸穴部と他方の上記軸穴部の近傍に設けられた切欠部と一端が上記切欠部と接する係止部とを備える記録媒体保持部材と、情報信号の記録媒体に対する記録及び／又は再生に用いられる磁気ヘッドを備える磁気ヘッド装置と、一方の延長方向に回動規制片が設けられると共に、上記記録媒体保持部材の上記一対の軸穴部に係合することで上記記録媒体保持部材に対し回動自在に支持される一対の支軸部が設けられ、回動することで上記磁気ヘッドと係合し、上記磁気ヘッド装置を昇降させると共に上記記録媒体保持部材の上記係止部に上記回動規制片が係止されることで回動が規制される磁気ヘッド昇降部材とを備える記録及び／又は再生装置の組み立て方法において、上記磁気ヘッド昇降部材の上記回動規制片を上記記録媒体保持部材の切欠部に進入させ、上記磁気ヘッド昇降部材の上記一方の支軸部を上記記録媒体保持部材の他方の上記軸穴部と係合させ、上記磁気ヘッド昇降部材の他方の支軸部を上記記録媒体保持部材の上記半抜き部を通して上記記録媒体保持部材の一方の軸穴部へ係合させ、上記磁気ヘッド昇降部材を上記記録媒体保持部材に近接する方向へ回動させることで上記磁気ヘッド支持部材の上記回動規制片が上記記録媒体保持部材の上記係止部の上面側に移動されるようにしたものである。
【００１８】
【発明の実施の形態】
以下、本発明の実施の形態について図面を用いて詳細に説明する。
【００１９】
ここで説明する回動部材の取付け装置は、音声信号等の情報信号が記録される光磁気ディスクを記録媒体として、この光磁気ディスクをカートリッジ本体内に回転自在に収納したディスクカートリッジを記録及び／又は再生する記録及び／又は再生装置に適用される。すなわち、この記録及び／又は再生装置は、光磁気ディスクがカートリッジ本体に収納された状態で、このカートリッジ本体と一体に記録及び／又は再生が行われる装着部に装着されるものである。
【００２０】
ここで用いられるディスクカートリッジとしては、情報信号の再記録を可能とする光磁気ディスク１１を収納した例えば図１及び図２に示すように構成されたディスクカートリッジ１０が用いられる。
【００２１】
情報信号の再記録を可能とする光磁気ディスク１１は、直径が例えば６４ｍｍ程度のポリカーボネート樹脂等の透明な合成樹脂材料より形成されるディスク基板に、垂直磁化膜よりなる信号記録層が被着形成されて構成されている。この信号記録層は、光ピックアップ装置の光源から出射された光ビームにより局所的にキュリー温度以上に加熱され、この加熱された部分に外部磁界が印加されることにより、情報信号の記録が行われる。また、このように記録された情報信号は、信号記録層に直線偏光された光ビームを照射し、信号記録層から反射される戻り光のカー効果による偏光方向の回転を光検出器により読み出される。
【００２２】
そして、ディスクカートリッジ１０は、光磁気ディスク１１の外径を略内接円とする方形状のカートリッジ本体１２を備えている。このカートリッジ本体１２には、その上面側に、図１に示すように、収納した光磁気ディスク１１の信号記録領域の一部を内外周に亘って外方に臨ませる磁気ヘッド用の記録再生開口部１３が形成されている。また、カートリッジ本体１２には、図２に示すように、その下面側に、磁気ヘッド用の記録再生開口部１３に対向して、同じく光磁気ディスク１１の信号記録領域の一部を外方に臨ませる光ピックアップ装置用の記録再生開口部１４が形成されている。さらには、カートリッジ本体１２には、その下面側に、光磁気ディスク１１を回転操作するディスク駆動機構であるディスクテーブルが進入する円形のディスクテーブル用の中央開口部１５が形成されている。
【００２３】
そして、ディスクカートリッジ１０は、上記カートリッジ本体１２の記録再生開口部１３、１４を閉塞するシャッタ部材１６が取り付けられている。このシャッタ部材１６は、薄い金属板を打ち抜き折り曲げて形成され、記録再生開口部１３、１４を覆うに足る大きさを有するシャッタ板１７、１８とこれらシャッタ板１７、１８の基端部を連結する連結部１９とから構成される。そして、シャッタ部材１６は全体として略コ字状を呈して形成される。なお、このシャッタ部材１６は、合成樹脂材料により成形しても良いのは勿論である。このように構成されるシャッタ部材１６は、各シャッタ板１７、１８が各記録再生開口部１３、１４を覆うようにしてカートリッジ本体１２の前面側に取り付けられ、この前面側に沿って移動することにより各記録再生開口部１３、１４を開閉する。シャッタ部材１６は、連結部１９に設けられた図示しない係合片を上記カートリッジ本体１２の前面側に形成した移動ガイド溝２０に係合されることにより、係合片が移動ガイド溝２０にガイドされ安定した移動が保証される。
【００２４】
以上のように構成されたディスクカートリッジ１０は、シャッタ部材１６が移動する前面側と直交する一側面を挿入端として記録及び／又は再生装置に挿脱がなされる。すなわち、ディスクカートリッジ１０は、図１中Ｘ1、Ｘ2方向を挿脱方向として記録及び／又は再生装置に挿脱される。
【００２５】
ディスクカートリッジ１０には、シャッタ部材１６の連結部１９の中央部に、ディスクカートリッジ１０を記録及び／又は再生装置からイジェクト操作する際、各記録再生開口部１３、１４を開放する位置に移動されたシャッタ部材１６を閉塞する位置方向に移動操作する記録及び／又は再生装置側に設けられたシャッタ閉塞操作部材が係合する係合部２１がそれぞれ設けられている。
【００２６】
ところで、各ディスクカートリッジ１０に収納される光磁気ディスク１１は、その中央部にセンタ穴２２が形成されている。このセンタ穴２２には、これを閉塞するハブ２３が取り付けられている。このハブ２３は、ディスク駆動機構であるディスクテーブルに配設されたマグネットに吸引可能とさせる磁性を有する金属材料により形成されている。これらセンタ穴２２及びハブ２３は、カートリッジ本体１２のディスクテーブル用の中央開口部１５より外方に臨まされている。
【００２７】
また、ディスクカートリッジ１０には、そのカートリッジ本体１２の下面側に、これらディスクカートリッジ１０が記録及び／又は再生装置内の記録再生位置を構成する装着部に装着された際、装着部側の位置決めピンが係合する一対の位置決め穴２４、２５ｂが形成されている。これら位置決め穴２４、２５は、図２に示すように、シャッタ部材１６が取り付けられるカートリッジ本体１２の前面側の両側に位置して設けられている。なお、一方の位置決め穴２４は、シャッタ部材１６の移動方向を長径として形成され、長径方向の範囲で上記位置決めピンに対する係合位置を調整可能としている。また、他方の位置決め穴２５は、真円に形成され、位置決めピンに対する係合位置を規制している。
【００２８】
さらには、カートリッジ本体１２には、図２に示すように、その下面側に位置決め穴２４、２５が設けられた前面側に対向する背面側に、複数の識別穴２６が形成されている。この識別穴２６は、カートリッジ本体１２に収納されているディスクの種別や状態、例えば情報信号の記録が可能か否かを表示するものである。そして、ディスクカートリッジ１０に設けられる１つの識別穴２７は、誤記録検出用として用いられ、カートリッジ本体１２、２２内に移動可能に設けられた図１に示す誤記録防止部材２８により開閉される。すなわち、識別穴２７は、誤記録防止部材２８が移動操作されることにより、光磁気ディスク１１に対する情報信号の記録可能か否かを切り換える。また、カートリッジ本体１２には、記録及び／又は再生装置への挿入端となる前面側の両側に、ディスクカートリッジ１０を記録及び／又は再生装置内に引き込み操作をする引き込み機構の一部が係合する係合凹部２９が形成されている。
【００２９】
そして、このようなディスクカートリッジ１０の記録及び／又は再生が行われる記録及び／又は再生装置は、小型化され、携帯性に優れた構成となっている。すなわち、この記録及び／又は再生装置は、その外装筐体が全体として矩形体形を有して構成され、その内部に、例えば図３に示すディスクカートリッジ１０の装着部を構成するシャーシ４１と、ディスクカートリッジ１０を保持する記録媒体保持部材であるカートリッジホルダ４２と、磁気ヘッド装置４３や光ピックアップ装置４４からなる記録及び／又は再生機構とが備えられている。
【００３０】
この外装筐体には、例えば、記録及び／又は再生装置に装着されたディスクカートリッジ１０の操作を行うための、パワースイッチ投入釦、記録釦、再生釦、一時停止釦、停止釦、音量調節釦、イジェクト釦等のキー入力部や、再生している情報信号のアドレスを表示する表示部等が設けられている。そして、このように構成されたキー信号入力部や表示部は、外装筐体の内部に取り付けられる電子基板に取り付けられた中央処理装置(central processing unit,以下、「ＣＰＵ」という。）により制御される。そして、このＣＰＵは、上記キー信号入力部からの信号に基づいてディスク駆動機構、記録及び／又は再生機構を制御する。また、この外装筐体には、ディスクカートリッジ１０の挿脱操作を行うために、回動自在に蓋体が取り付けられいる。
【００３１】
そして、シャーシ４１は、図３に示すように、金属材料により略平板状に、ディスクカートリッジ１０の主面の外形寸法よりやや大とされた大きさをして形成され、ディスクカートリッジ１０の装着部４５を構成する。そして、シャーシ４１には、その中央領域に、ディスク駆動機構が備えられている。
【００３２】
このディスク駆動機構は、シャーシ４１の下面側に配設される図示しない駆動モータと、この駆動モータよりシャーシ４１の上面側に向かって取り付けられた駆動軸４６と、この駆動軸４６に取り付けられシャーシ４１の上面側に配設されるディスクテーブル４７とから構成される。このディスクテーブル４７は、全体が円盤状を呈して形成され、その内部にマグネットが配設されている。そして、このディスクテーブル４７は、ディスクカートリッジ１０が装着部４５に装着されると、ディスクカートリッジ１０のハブ２３を磁気吸着して、ハブ２３に嵌合される。このように装着部４５に装着されたディスクカートリッジ１０は、駆動軸４６の同軸上に光磁気ディスク１１の中心が配設され、位置決めがなされた状態で、ディスクテーブル４７が駆動モータにより回転されて、光磁気ディスク１１が回転操作される。
【００３３】
また、シャーシ４１には、その下側にディスク駆動機構に隣り合って光ピックアップ装置４４を外方に臨ませるピックアップ用開口部４８が設けられている。そして、このピックアップ用開口部４８は、ディスクカートリッジ１０のシャッタ部材１６が記録再生開口部１３、１４を開放した状態で装着部４５に装着された際に、光ピックアップ装置４４が記録再生開口部１４より外方に臨まされる光磁気ディスク１１の内外周に亘って移動できるように、光ピックアップ装置４４の移動領域に対応して形成されている。すなわち、この光ピックアップ装置４４は、詳細は後述する対物レンズ４９が光磁気ディスク１１の記録領域に対向して配設される。
【００３４】
この光ピックアップ装置４４は、光学ブロック部を有し、この光学ブロック部内に、半導体レーザ等よりなる光源と、この光源から出射された光ビームをディスク１１へと導く光学デバイス及び対物レンズ４９とから構成される。この光ピックアップ装置４４は、光源より出射される光ビームを光学デバイス、対物レンズ４９を介して光磁気ディスク１１の表面の信号記録層に集光して照射できるように構成されている。また、この光ピックアップ装置４４は、光磁気ディスク１１に照射された光ビームの反射光を上記対物レンズ４９及び光学デバイスを介して検出する。また、この光ピックアップ装置４４は、光量及び偏光方向の回転角を検出することができる。そして、光ピックアップ装置４４は、ディスクテーブル４７に保持されて回転される光磁気ディスク１１への情報信号の書き込みのための光束の照射、及び、光磁気ディスク１１より情報信号の読み出しを行うようになされている。
【００３５】
このように構成される光ピックアップ装置４４は、シャーシ４１の下側に互いに平行に取り付けられたガイドシャフト５０を介して移動可能に取り付けられている。そして、この光ピックアップ装置４４は、シャーシ４１の下側に取り付けられた図示しない送りモータによりガイドシャフト５０に沿って送り操作される。この送りモータには、この送りモータの駆動軸に図示しない駆動ギヤが取り付けられている。そして、駆動ギヤは、シャーシ４１の下側において回転可能に取り付けられた図示しない減速伝達ギヤに歯合されており、この伝達ギヤを回転させる。減速ギヤは、上記ガイドシャフト５０に平行に回転可能に取り付けられたスクリューシャフト５１の一端に取り付けられた従動ギヤ５２に歯合されており、この従動ギヤ５２を介してスクリューシャフト５１を軸回りに回転させる。スクリューシャフト５１は、外周面部にスクリューネジ部５３が構成されており、このスクリューネジ部５３を光ピックアップ装置４４の光学ブロック部に歯合させている。したがって、光ピックアップ装置４４は、送りモータが駆動されると、スクリューシャフト５１が回転操作されて、ガイドシャフト５０に沿って移動される。
【００３６】
なお、この光ピックアップ装置４４は、移動領域を移動されて光磁気ディスク１１の最内周の位置にされた時、シャーシ４１の駆動モータ近傍に設けられた光ピックアップ装置４４の動きを停止させるための検出スイッチを押圧することで停止される。
【００３７】
また、シャーシ４１には、その上面側であって前縁部及び後縁部に位置決めピン５４ａ、５４ｂが植立されている。この位置決めピン５４ａ、５４ｂは、全体として円錐状に形成されている。そして、この位置決めピン５４ａ、５４ｂは、シャーシ４１にディスクカートリッジ１０に載置された際に、図２に示す位置決め穴２４、２５に嵌合されて、シャーシ４１に対してディスクカートリッジ１０の位置決めを行う。また、このシャーシ４１には、その上面側であって前縁部及び後縁部に収納されるディスクカートリッジ１０の高さ方向の位置決めを行う位置決め凸部５５ａ、５５ｂが設けられている。この位置決め凸部５５ａ、５５ｂは、シャーシ４１に載置されたディスクカートリッジ１０の下側の主面部に当接して、ディスクカートリッジ１０の高さ方向の位置決めを行う。
【００３８】
そして、前方側の位置決め凸部５５ａには、ディスクカートリッジ１０の検出スイッチが設けられている。この検出スイッチには、その上方に向かって押圧子が設けられており、ディスクカートリッジ１０がシャーシ４１に載置された際には、この押圧子が押圧されることで、ディスクカートリッジ１０の有無の検出を行う。そして、これら検出スイッチは、上記ＣＰＵに接続されている。
【００３９】
このように構成されるシャーシ４１は、ディスクカートリッジ１０、２０が載置された際には、上記位置決めピン５４ａ、５４ｂによりカートリッジ本体１２の位置決めを行うと共に、ディスクテーブル４７にハブ２３をマグネットチャッキングさせることで、光磁気ディスク１１の位置決めを行い光磁気ディスク１１を回転させる。
【００４０】
また、このシャーシ４１には、その後方に一対の支持部材５６ａ、５６ｂが取り付けられている。この支持部材５６ａ、５６ｂは、詳細は後述するカートリッジホルダ４２を回動自在に支持する。そして、この支持部材５６ａ、５６ｂは、その中央に支軸５７が互いに内方に向かって植立されている。この支軸５７は、後述するカートリッジホルダ４２の軸穴６６に嵌合される。
【００４１】
また、このシャーシ４１の上面側に回動自在に取り付けられるカートリッジホルダ４２は、ディスクカートリッジ１０の記録及び／又は再生を行う装着部４５に保持できるように、天板部６２と、この天板部６２の両側縁より下方向に垂下された側壁部６３ａ、６３ｂと、この側壁部６３ａ、６３ｂより内方に曲折された支持部６４ａ、６４ｂとから構成される。そして、このカートリッジホルダ４２は、金属材料が屈曲形成されて、一体的に形成されている。このカートリッジホルダ４２は、ディスクカートリッジ１０が前方側より天板部６２下側で側壁部６３ａ、６３ｂ間に挿入されると、各支持部６４ａ、６４ｂにディスクカートリッジ１０の側縁部が支持されて保持される。
【００４２】
このカートリッジホルダ４２には、側壁部６３ｂの中途部に、カートリッジホルダ４２の内方に向かって、シャッタ開放片６５が突設されている。このシャッタ開放片６５は、このカートリッジホルダ４２にディスクカートリッジ１０が挿入されたとき、上記ディスクカートリッジ１０の移動ガイド溝２０に進入し、上記シャッタ部材１６の連結部１９の前端部に当接し、このディスクカートリッジ１０がカートリッジホルダ４２内に収納されたときに、シャッタ部材１６を開状態とする。また、カートリッジホルダ４２には、側壁部６３ａ、６３ｂの後方に平行に軸穴６６が穿設されている。これら軸穴６６は、シャーシ４１の後方に設けられた支軸５７に嵌合され、カートリッジホルダ４２を軸回りに回動可能とさせる。また、カートリッジホルダ４２には、その天板部６２に複数の窓部６７ａ、６７ｂが開口されている。この窓部６７ａ、６７ｂには、例えば後述する磁気ヘッド７１が臨まされ、ディスクカートリッジ１０がカートリッジホルダ４２に挿入された際に、磁気ヘッド７１がディスクカートリッジ１０の記録再生開口部１３より光磁気ディスク１１に臨むようにされている。さらには、カートリッジホルダ４２には、支持部６４ａに突出部６８が形成されている。この突出部６８は、図示しないがシャーシ４１の一部に係止されることによりカートリッジホルダ４２をシャーシ１に対し閉状態とさせる。
【００４３】
このように構成されたカートリッジホルダ４２は、図３中上側に回動された状態において、ディスクカートリッジ１０が挿入されて、このディスクカートリッジ１０を保持した後、図３中下方向に回動されてシャーシ４１に載置されると、シャーシ４１の装着部４５に装着させる。このようにして、シャーシ４１に装着されたディスクカートリッジ１０は、上記位置決めピン５４ａ、５４ｂ、位置決め凸部５５ａ、５５ｂ等により位置決めがなされ、記録及び／又は再生が可能な状態とされる。
【００４４】
また、磁気ヘッド装置４３は、上記光ピックアップ装置４４に取り付けられる。そして、この磁気ヘッド装置４３は、光磁気ディスク１１に磁界を印加する磁気ヘッド７１と、この磁気ヘッド７１を支持する磁気ヘッド支持板７２と、この磁気ヘッド支持板７２を光ピックアップ装置４４に取り付ける連結部材７３とを備える。そして、連結部材７３は、全体として略コ字状を呈して形成され、その一端側を上記光ピックアップ装置４４の光学ブロック部の後方に取り付けられる。また、この連結部材７３の他端側は、シャーシ４１の後方側縁より後方側に位置されており、連結部材７３が光ピックアップ装置４４に取り付けられていることから、このシャーシ４１に接触されることなく、光ピックアップ装置４４の移動と共に移動される。また、この連結部材７３は、シャーシ４１の上面側より上方に突出されている。この連結部材７３は、その他端部、すなわち上端部の近傍に、支軸７４を介して磁気ヘッド支持板７２の後方側縁部分が回動可能に取り付けられている。
【００４５】
磁気ヘッド支持板７２は、前側側縁部分を図３中上下方向、すなわちシャーシ４１に対し接離する方向に回動可能となされている。そして、この磁気ヘッド支持板７２には、図示しないアーム部が設けられおり、このアーム部はその先端側を前方に向けて突設されて、先端部近傍が側方側に屈曲されている。また、磁気ヘッド支持板７２には、ジンバルバネ７５が取り付けられている。そして、このジンバルバネ７５には、その先端側に磁気ヘッド７１が取り付けられると共に、このジンバルバネ７５の一部が屈曲形成されて吊り下げ部が形成されている。この吊り下げ部は、上記アーム部の先端部近傍の屈曲部に掛合して吊り下げられている。
【００４６】
このような磁気ヘッド装置４３は、磁気ヘッド７１が光ピックアップ装置４４の対物レンズ４９の上方に位置し、この対物レンズ４９に対向して配設されている。また、磁気ヘッド７１は、磁気ヘッド支持板７２が上記連結部材７３に対して回動されることにより、シャーシ４１に対して接離する上下方向に回動可能に取り付けられている。
【００４７】
このように構成される磁気ヘッド装置４３は、次のような昇降駆動装置により昇降される。すなわち、この昇降駆動装置は、磁気ヘッド装置４３を昇降させる磁気ヘッド昇降部材８０と、駆動源から駆動伝達されてこの磁気ヘッド昇降部材８０を駆動させる駆動伝達部材８１とから構成される。
【００４８】
磁気ヘッド昇降部材８０は、例えば図３及び図４に示すように、カートリッジホルダ４２の窓部６７ａに掛け渡されて取り付けられ、磁気ヘッド装置４３を支持し持ち上げる磁気ヘッド支持部８５と、この磁気ヘッド支持部８５の両端部からの突出して設けられこの磁気ヘッド支持部８５を回動自在に支持する支持片８６ａ、８６ｂと、この支持片８６ａから延長方向に突出して設けられる回動規制片８７とから構成される。
【００４９】
磁気ヘッド支持部８５は、図４に示すように、その上面に、磁気ヘッド装置４３が配設される。そして、この磁気ヘッド支持部８５には、その短辺方向の側縁に突片８８ａ、８８ｂが突出して形成されている。この突片８８ａ、８８ｂは、図示しない規制凹部に係合され、磁気ヘッド昇降部材８０の回動する領域を規制している。また、磁気ヘッド支持部８５には、突出片８９が支持片８６ｂ側に突出して形成されている。この突出片８９は、その一方の側縁部が上向きの傾斜面となるように形成されている。
【００５０】
また、支持片８６ａ、８６ｂは、磁気ヘッド支持部８５の短辺方向の側縁から同方向に突出して形成されると共に、略水平方向、すなわち図４中Ｘ3方向に弾性変位するように形成されている。この支持片８６ａ、８６ｂには、その中央部に軸穴９０ａ、９０ｂが穿設されている。そして、この軸穴９０ａ、９０ｂには、カートリッジホルダ４２の後方側であって窓部６７ａの近傍に設けられた軸部（詳細は後述する）に嵌合される。そして、一方の軸穴９０ｂの周縁部９１には、例えば図５（Ａ）（Ｂ）に示すように、支持片８６ｂと同方向であって、支持片８６ｂの内方に半抜き部９２が形成されている。この半抜き部９２は、図５（Ａ）に示すように、軸穴９０ｂの周縁部から支持片８６ｂの外周縁部に亘って形成され、また、その幅寸法が軸穴９０ｂの直径寸法と略同じくして形成されている。さらには、半抜き部９２は、図５（Ｂ）に示すように、磁気ヘッド支持部８５の厚さ方向に非貫通とされている。このような半抜き部９２は、磁気ヘッド昇降部材８０のカートリッジホルダ４２への取付け操作を容易としている。なお、この半抜き部９２は、以上のように支持片８６ｂに設けるだけでなく、支持片８６ａについても設けてもよく、また、支持片８６ａのみに設けても良いのは勿論である。
【００５１】
また、磁気ヘッド昇降部材８０には、図４に示すように、支持片８６ａの延長方向に回動規制片８７が形成されている。この回動規制片８７は、支持片８６ａから曲折して形成される。そして、この回動規制片８７は、磁気ヘッド昇降部材８０の回動する領域を規制している。また、この回動規制片８７は、その端部９３が円弧状に形成される。
【００５２】
一方、この磁気ヘッド昇降部材８０は、例えば図６に示すように、カートリッジホルダ４２に回動自在に支持される。このカートリッジホルダ４２には、この上面後方側の窓部６７ａの近傍に一対の軸部９５ａ、９５ｂが設けられている。この軸部９５ａ、９５ｂは、カートリッジホルダ４２の上面に立設された支持部９６ａ、９６ｂと、この支持部９６ａ、９６ｂから外方に向かって植立された支軸９７ａ、９７ｂとから構成される。そして、この支軸９７ａ、９７ｂには、上記磁気ヘッド昇降部材８０の軸穴９０ａ、９０ｂが嵌合され、これにより、磁気ヘッド昇降部材８０は、カートリッジホルダ４２に回動自在に支持されることになる。また、軸部９５ａ、９５ｂには、その根本部の外方側に切欠穴９８ａ、９８ｂが形成されている。そして、特に、切欠穴９８ａは、直方形状の一つのコーナ部に係止部９９を設けた構成となっている。この係止部９９は、カートリッジホルダ４２の上面に対し略垂直方向、すなわち図６中Ｘ4方向に弾性変位するように形成されている。そして、この係止部９９には、磁気ヘッド昇降部材８０がカートリッジホルダ４２の軸部９５ａ、９５ｂに取り付けられた際に回動規制片８７の端部が突き当てられる。
【００５３】
また、カートリッジホルダ４２には、上記図３に示すように、窓部６７ｂを囲むように駆動伝達部材８１が配設されている。この駆動伝達部材８１には、カートリッジホルダ４２に取り付けられた際に、その内方側に側縁部に、カム片１００が上方に向かって立設されている。そして、このカム片１００には、上記駆動伝達部材８１の突出片８９が配置される。そして、この駆動伝達部材８１は、シャーシ４１の下側に配設された駆動機構によりカートリッジホルダ４２の前方向にスライドされ、突出片８９がカム片１００により押し上げられることにより、磁気ヘッド昇降部材８０が上方向に回動され、これと共に磁気ヘッド装置４３が上方向に回動される。また、磁気ヘッド装置４３が下降される際には、駆動伝達部材８１は、カートリッジホルダ４２の後方向にスライドされて、これによりカム片１００を突出片８９が下降される。
【００５４】
そして、このように構成される磁気ヘッド装置４３を昇降させる磁気ヘッド昇降部材８０は、次のようにカートリッジホルダ４２の軸部９５ａ、９５ｂに組み付けられる。すなわち、磁気ヘッド昇降部材８０は、先ず、上記図６に示すように、支持片８６ａ、８６ｂの端部をカートリッジホルダ４２の上面側にした、カートリッジホルダ４２に対し略垂直状態とされる。次に、磁気ヘッド昇降部材８０は、上述したように支持片８６ａ、８６ｂを外広がりとなるように図６中Ｘ3方向に弾性変位される。さらには、磁気ヘッド昇降部材８０は、支持片８６ａ、８６ｂを外広がりに弾性変位させた状態で、先ず、支持片８６ａ及び回動規制片８７を切欠穴９８ａに挿入し、軸部９５ａの支軸９７ａに嵌合させる。そして、磁気ヘッド昇降部材８０は、支持片８６ａ、８６ｂが外広がりに弾性変位された状態で、支持片８６ｂを軸部９５ｂの支軸９７ｂに嵌合させる。この際、支持片８８ｂには、その内方に半抜き部９２が形成されていることから、支持片８６ａ、８６ｂのＸ3方向の弾性力の限界を超えさせ支持片８６ａ、８６ｂを外広がりの状態に変形させること無く容易に取り付けることができる。
【００５５】
そして、磁気ヘッド昇降部材８０は、図６中Ｘ5方向に略９０度回動されて、例えば図７に示すように、カートリッジホルダ４２の上面と略平行な状態とされる。この際、回動規制片８７は、その端部が切欠穴９８ａの下側にあり、磁気ヘッド昇降部材８０が図６中Ｘ5方向に回動されることにより、切欠穴９８の係止部９９に突き当たることになる。すると、この係止部９９は、図６中Ｘ4方向に弾性変位され、回動規制片８７の端部がカートリッジホルダ４２の上面側に移動され、係止部９９の上面側に突き当てられる。また、磁気ヘッド昇降部材８０は、カートリッジホルダ４２に組み付けられ、図７に示す状態にされた際には、半抜き部９２がカートリッジホルダ４２の上面と略平行な状態になる。この際、半抜き部９２は、磁気ヘッド昇降部材８０が磁気ヘッド装置４３を昇降させる際の回動する領域外に設けられていることから、この半抜き部９２により支軸９７ｂと軸穴９０ｂの嵌合された状態が解除されることはない。
【００５６】
このように磁気ヘッド昇降部材８０は、先ずカートリッジホルダ４２に対して垂直な方向より取り付けることが可能であることから、極めて容易にその取付け作業を行うことができる。また、磁気ヘッド昇降部材８０は、その取付け作業の際、支持片８６ｂに半抜き部９２が形成されることから、無理に支持片８６ａ、８６ｂを図６中Ｘ3方向に弾性変位させることがない。すなわち、支持片８６ａ、８６ｂは、図６中Ｘ3方向の弾性力の限界を超えさせることもなくなり、外広がりの状態に変形させること無く容易に取り付けることができる。したがって、完成された記録及び／又は再生装置がユーザにより落下されてしまった場合等の衝撃が加わった場合においても、磁気ヘッド昇降部材８０はカートリッジホルダ４２から外れてしまうといったこともない。さらには、カートリッジホルダ４２の上面が形成時等に反りが発生してしまった場合においても、支軸９７ａ、９７ｂを着実に軸穴９０ａ、９０ｂに嵌合させることができる。
【００５７】
さらには、このように構成される記録及び／又は再生装置は、磁気ヘッド装置４３を支持するのに磁気ヘッド昇降部材８０とカートリッジホルダ４２側の軸部９５でよいことから、部品点数の削減及び装置全体の小型化を図ることができる。なお、以上、光磁気ディスク１１の記録及び／又は再生を行う記録及び／又は再生装置について説明したが、磁気ディスクカートリッジの記録及び／又は再生装置に適用しても良いのは勿論である。
【００５８】
【発明の効果】
上述したように、本発明は、磁気ヘッドの昇降操作を行う磁気ヘッド昇降部材と記録媒体保持部材とを回動可能に支持する構造において、いずれか一方に半抜き部が設けられていることから、互いの組み付けを容易に行うことができる。
また、磁気ヘッド昇降部材が記録媒体保持部材に取り付けられた際には、この半抜き部は、取付け方向と略同じくして設けられているだけであることから、実際に磁気ヘッド昇降部材が回動する領域には半抜き部は設けられておらず、取付け作業後に、磁気ヘッド昇降部材が外れることを防止することができる。
【００５９】
また、本発明によれば、磁気ヘッド昇降部材に半抜き部が設けられていることから、記録媒体保持部材への取付け作業を容易に行うことができる。また、磁気ヘッド昇降部材が記録媒体保持部材に取り付けられた際には、この半抜き部は、取付け方向と略同じくして設けられているだけであることから、実際に磁気ヘッド昇降部材により昇降される磁気ヘッド装置の上下方向に移動する領域には半抜き部は設けられておらず、取付け作業後に、磁気ヘッド昇降部材が外れることもない。したがって、本発明が適用された記録及び／又は再生装置が、ユーザにより誤って落下された場合等の衝撃が加わった場合においても、磁気ヘッド昇降部材が記録媒体保持部材より外れ、記録及び／又は再生装置が故障することを防止することができる。さらには、特に、この磁気ヘッド装置の取付け装置は、記録媒体保持部材に直接磁気ヘッド昇降部材が取り付けられることから、部品点数の削滅を図ることができ、携帯性に優れた小型の記録及び／又は再生装置に適用した場合に特に有効である。
【図面の簡単な説明】
【図１】本発明に係る磁気ヘッド装置の取付け装置が備えられた記録及び／又は再生装置に用いられるディスクカートリッジの上側から見た外観斜視図である。
【図２】同ディスクカートリッジの下側から見た外観斜視図である。
【図３】本発明に係る磁気ヘッド装置の取付け装置が備えられた記録及び／又は再生装置の内部に備えられるカートリッジホルダ、シャーシ及び磁気ヘッド装置の取付け状態を示す斜視図である。
【図４】磁気ヘッド昇降部材の全体斜視図である。
【図５】（Ａ）は、磁気ヘッド昇降部材の支持片の要部拡大平面図であり、（Ｂ）は、その側面図である。
【図６】磁気ヘッド昇降部材をカートリッジホルダの上面に取り付ける状態を説明するための斜視図である。
【図７】磁気ヘッド昇降部材がカートリッジホルダに取り付けられた状態を示す斜視図である。
【図８】従来の記録及び／又は再生装置に使用される磁気ヘッド装置の昇降装置の要部斜視図である。
【図９】従来の磁気ヘッド装置の昇降装置の回動規制片の動作を説明するための側面図である。
【符号の説明】
１０  ディスクカートリッジ、１１  光磁気ディスク、１２  カートリッジ本体、１３  磁気ヘッド用の記録再生開口部、１４  ピックアップ用の記録再生開口部、１５  ディスクテーブル用の中央開口部、４１  シャーシ、４２  カートリッジホルダ、４３  磁気ヘッド装置、４４  光ピックアップ装置、４５  装着部、４６  駆動軸、４７  ディスクテーブル、４８ピックアップ用開口部、８０  磁気ヘッド昇降部材、８１  駆動伝達部材、８５  磁気ヘッド支持部、８６  支持片、８７  回動規制片、８８  突片、８９  突出片、９０  軸穴、９１  周縁部、９２  半抜き部、９３  係止部、９５  軸部、９７  支軸、９９  突出部
【図１】
0003994451.tif 000002
【図２】
0003994451.tif 000003
【図３】
0003994451.tif 000004
【図４】
0003994451.tif 000005
【図５】
0003994451.tif 000006
【図６】
0003994451.tif 000007
【図７】
0003994451.tif 000008
【図８】
0003994451.tif 000009
【図９】
0003994451.tif 000010